(57)【要約】【課題】無勾配排水システムにおいて、簡易な構成で、洗い場への排水溢れを防止可能な浴室用排水構造を提供する。【解決手段】洗い場３２からの洗い場排水３７は、浴槽下パン３８へ流出される。浴槽下パン３８の床面には開口３８Ｈが構成され、開口３８Ｈの下側に排水トラップ４０が配置されている。排水トラップ４０の洗い場排水流入口４２Ｂには、洗い場閉鎖板５０Ｂが設けられている。洗い場閉鎖板５０Ｂは逆止弁であり、貯留部４６側からの排水の流出が防止されている。【選択図】図１
2008179974.tif 000002
【特許請求の範囲】
【請求項１】
無勾配排水システムに用いられる浴室用排水構造であって、
洗い場からの洗い場排水を流入させ、この洗い場排水を受ける排水受部と、
浴槽からの浴槽排水と前記排水受部からの前記洗い場排水とが合流すると共に、下流側へ排水を流出させる流出口の構成された合流部と、
前記浴槽と合流部とを連結し、前記浴槽から浴槽排水を前記合流部へ導く浴槽排水路を構成する浴槽排水路部材と、
前記排水受部から前記合流部への流入口に設けられ、前記合流部から前記排水受部への排水の逆流を阻止する逆止手段と、
を備えた、浴室用排水構造。
【請求項２】
前記排水受部は、前記浴槽の下側に配置された防水パンであること、を特徴とする請求項１に記載の浴室用排水構造。
【請求項３】
前記逆止手段が、逆止弁を含んで構成されていること、を特徴とする請求項１または請求項２に記載の浴室用排水構造。
【請求項４】
前記逆止手段が、前記合流部に流入した排水に対して浮力を有し合流部の水位に応じて移動して前記流入口を閉鎖するフローティング部材、を含んで構成されていること、を特徴とする請求項１または請求項２に記載の浴室用排水構造。
【請求項５】
前記合流部の流出口の径が、無勾配排水管に対応したサイズであること、を特徴とする請求項１乃至請求項４のいずれか１項に記載の浴室用排水構造。
【請求項６】
前記合流部は、排水トラップを含んで構成されていること、を特徴とする請求項１乃至請求項５のいずれか１項に記載の浴室用排水構造。
【請求項７】
前記無勾配排水システムがサイフォン排水システムであること、を特徴とする請求項１乃至請求項６のいずれか１項に記載の浴室用排水構造。
【発明の詳細な説明】
【技術分野】
【０００１】
本発明は、サイフォン排水システムなどの無勾配排水システムに用いられる浴室の排水部分を構成する浴室用排水構造に関するものである。
【背景技術】
【０００２】
排水システムとして、一定区間について排水管を水平方向に配置し、排水管内へ特別な力を作用させることにより、排水を促進する無勾配排水システムが知られている。この無勾配排水システムとしては、サイフォン排水システム、圧送排水（強制排水）システム、真空排水（バキューム排水）システム等があげられる。
【０００３】
この無勾配排水システムを採用した場合、大量の溜め流し排水について、一般的に、排水開始時から無勾配の排水管内の水に排水を促進する力が作用し始めるまでの間は、在来の排水システムと比較して排水速度が遅いことが知られている。これは、無勾配排水管が、在来の排水管と比較して径が小さく、排水初期の処理量が少なくなるためである。
【０００４】
ところで、浴室ユニットにおいては、浴槽、及び洗い場からの排水がある（以下、浴槽からの排水を「浴槽排水」といい、洗い場からの排水を「洗い場排水」という）。浴槽排水については、大量の溜め流し排水が想定されるため、無勾配排水システムを採用する場合には、在来排水にない問題が生じる場合がある。
【０００５】
例えば、サイフォン排水システムを例に説明すると、図９（Ａ）に示すように、浴槽１００、洗い場１０２、及び、防水パン１０４を備え、防水パン１０４の浴槽側へ浴槽１００及び洗い場１０２からの排水を流すタイプがある。このタイプにサイフォン排水管Ｓを接続すると、サイフォン力による排水が始動する前に防水パン１０４の容量を超える排水が浴槽１００及び洗い場１０２から行われると、図９（Ｂ）に示すように、防水パン１０４の浴槽側から洗い場１０２側へ排水が溢れてしまうことになる。また、溜め水が浴槽１００から一旦防水パン１０４へ排水されるため、サイフォンの水頭も低くなり、サイフォンの始動も遅くなってしまう。
【０００６】
さらに、図１０（Ａ）に示すように、防水パン１０４の浴槽側と洗い場１０２との間に、壁部１０６が立設され、浴槽１００からの排出口が排水トラップＴの流入口と直接連結されていると共に、洗い場１０２からの排水が浴槽１００とは異なる経路で前述の排水トラップへ流入する構成とされる場合がある（特許文献１参照）。また、図１１（Ａ）に示すように、防水パンなしで浴槽１００と洗い場１０２とが一体的に構成され、浴槽１００からの排出口が排水トラップＴの流入口と直接連結されていると共に、洗い場１０２からの排水が浴槽１００とは異なる経路で前述の排水トラップＴへ流入する構成とされる場合がある。これらの構成でサイフォン排水システムを採用した場合には、図１０（Ｂ）及び図１１（Ｂ）に示すように、浴槽１００からの溜め流し時に、洗い場１０２と排水トラップＴとの間の開口部Ｋから排水が溢れ出すことが想定される。
【特許文献１】特開２００３−２９３４１５号公報
【発明の開示】
【発明が解決しようとする課題】
【０００７】
前述のような不都合を解消するために、浴槽排水と洗い場排水とを完全に分離して別々に配管することも考えられるが、配管数が多くなると共に、洗い場側の処理能力としてはオーバースペックになってしまう。また、大量の溜め流し排水に対応すべく、一時的に排水を貯留する貯留槽を設けることも考えられるが、貯留槽の設置が必要になる。
【０００８】
本発明は、上記事実に鑑みてなされたものであり、無勾配排水システムにおいて、簡易な構成で、洗い場への排水溢れを防止可能な浴室用排水構造を提供することを目的とする。
【課題を解決するための手段】
【０００９】
本発明の請求項１に記載の浴室用排水構造は、無勾配排水システムに用いられる浴室用排水構造であって、洗い場からの洗い場排水を流入させ、この洗い場排水を受ける排水受部と、浴槽からの浴槽排水と前記排水受部からの前記洗い場排水とが合流すると共に、下流側へ排水を流出させる流出口の構成された合流部と、前記浴槽と合流部とを連結し、前記浴槽から浴槽排水を前記合流部へ導く浴槽排水路を構成する浴槽排水路部材と、前記排水受部から前記合流部への流入口に設けられ、前記合流部から前記排水受部への排水の逆流を阻止する逆止弁と、を備えている。
【００１０】
上記構成の浴室用排水構造では、浴槽からの排水は、浴槽排出路を経て直接合流部へ送られる。一方、洗い場からの排水は、一旦排水受部へ流入し、排水受部から合流部へ流入され、合流部に接続された配管から下流側へ排水される。排水受部から合流部への流入口には、逆止弁が設けられ、合流部から排水受部への排水の逆流が阻止されている。
【００１１】
この構成によれば、排水受部から合流部への流入口に逆止弁が設けられているので、浴槽から溜め流しが行われている時に、この流入口から排水が溢れることを防止することができる。また、この流入口が逆止弁で閉鎖されていても、洗い場からの排水は排水受部に貯留されるので、洗い場に排水が溢れることも防止することができる。
【００１２】
また、この構成によれば、浴槽からの排水が途中で開放されることなく浴槽排水路を経て合流部へ送られるので、サイフォン排水システムに適用した場合、サイフォンの始動に利用できる水頭を浴槽の水面まで引き上げることができ、サイフォンの始動を早めることができる。
【００１３】
本発明の請求項２に記載の浴室用排水構造は、前記排水受部が、前記浴槽の下側に配置された防水パンであること、を特徴とする。
【００１４】
このように、浴槽の下側に設置される防水パンを利用することにより、排水受部を容易に構成することができる。洗い場から浴槽の下側に設置される防水パンへの排水は、洗い場側と浴槽側を連通させる流路を形成することによって行ってもよいし、洗い場から浴槽側への傾斜や溝などによる開放流路により行ってもよい。
【００１５】
本発明の請求項３に記載の浴室用排水構造は、前記逆止手段が、逆止弁を含んで構成されていること、を特徴とする。
【００１６】
このように、逆止弁を用いて、合流部から排水受部への排水の逆流を阻止することができる。
【００１７】
本発明の請求項４に記載の浴室用排水構造は、前記逆止手段が、前記合流部に流入した排水に対して浮力を有し合流部の水位に応じて移動して前記流入口を閉鎖するフローティング部材、を含んで構成されていること、を特徴とする。
【００１８】
このように、水に対して浮力を有するフォローティング部材を用いることによっても、満水時に排水が合流部から排水受部へ逆流することを阻止することができる。
【００１９】
本発明の請求項５に記載の浴室用排水構造は、前記合流部の流出口の径が、無勾配排水管に対応したサイズであること、を特徴とする。
【００２０】
このように、合流部の流出口を無勾配排水管に対応した径とすることにより、小径の無勾配排水管、例えば、サイフォン排水管であれば２０Ａや２５Ａなどの排水管を直接接続することができる。
【００２１】
本発明の請求項６に記載の浴室用排水構造は、前記合流部が、排水トラップを含んで構成されていること、を特徴とする。
【００２２】
このように、合流部に排水トラップを形成することにより、浴槽側と洗い場側の排水トラップを共用にすることができる。
【００２３】
本発明の請求項７に記載の浴室用排水構造は、前記無勾配排水システムがサイフォン排水システムであること、を特徴とする。
【００２４】
サイフォン排水システムでは、サイフォンの効き始めまでに有る程度の時間を要するため、本発明の浴室用排水構造を好適に適用することができる。
【発明の効果】
【００２５】
本発明は、上記構成としたので、無勾配排水システムにおいて、簡易な構成で、洗い場への排水溢れを防止することができる。
【発明を実施するための最良の形態】
【００２６】
次に、本発明の浴室用排水構造の実施形態について、詳細に説明する。
【００２７】
本発明の浴室用排水構造は、サイフォン排水システム、圧送排水システム、真空排水システムなどの、無勾配排水システムに用いられるものである（サイフォン排水システムについて、特開平６−４２０１９号公報など参照、圧送排水システムについて、特開平３−１２２３２４号公報など参照、真空排水システムについて、特開平６−１０８５２１号公報、特開平１０−６０９６６号公報など参照）。本実施形態では、サイフォン排水システムに本発明の浴室用排水構造を適用した例について説明する。
【００２８】
サイフォン排水システムは、サイフォン力を利用して水回り器具からの排水を効率よく排出する排水システムである。図８には、本実施形態に係る浴室用排水構造１０が用いられるサイフォン排水システムの全体構成が概略図にて示されている。
【００２９】
サイフォン排水システムは、主に、複数階で構成された集合住宅などに用いられ、排水を下方へ流す排水立て管１２を備えている。この排水立て管１２は、集合住宅の上下方向（縦方向）に延設され、集合住宅の各階の床スラブ１４を貫いている。
【００３０】
集合住宅の各階の各戸には、浴室１６が設けられており、この浴室１６から排水を行うために浴室用排水構造１０が構成されている。浴室用排水構造１０には、サイフォン排水管２２が接続されている。サイフォン排水管２２は、床スラブ１４に沿って配設される横引き管２４と、この横引き管２４と連通する竪管２６とを備えて構成されている。横引き管２４は、床スラブ１４上で水平方向に無勾配で配設されている。横引き管２４と連通する竪管２６は、排水立て管１２に沿って、上下方向（鉛直方向）に配設されている。この竪管２６は、合流部継手２８を介して排水立て管１２と連結されている。合流部継手２８は、竪管２６からの排水を排水立て管１２へ合流させる。
【００３１】
横引き管２４及び竪管２６は、１本の排水管で構成され、合流部継手２８までは他の排水管と途中で合流することなく、排水立て管１２へ排水を導くようになっている。また、横引き管２４及び竪管２６は、排水が満流で流れるように管の内径が設定されている。横引き管２４内の排水には、サイフォン水頭Ｈｓのエネルギーにより、排水方向へ向かうサイフォン力が作用される。
【００３２】
次に、浴室用排水構造１０について説明する。
【００３３】
浴室用排水構造１０は、浴室１６（図８参照）から排水を行うために構成されている。図１に示すように、浴室１６は、浴槽３０及び洗い場３２を備えている。
【００３４】
浴槽３０の下側には、浴槽排出口３０Ｂが構成され、浴槽排出口３０Ｂには、浴槽排出口３０Ｂから排出される排水（以下「浴槽排水３４」という）を後述する排水トラップ４０へ導くホース３６が接続されている。
【００３５】
浴室１６の床部分は、防水パン３９で構成されている。この防水パン３９の浴槽側を浴槽下パン３８、洗い場側を洗い場パン３３とする。洗い場パン３３は浴槽下パン３８側へ僅かに傾斜している。洗い場パン３３と浴槽下パン３８との間には、段差３５が構成されている。シャワー水などの洗い場３２からの排水（以下「洗い場排水３７」という）は、段差３５を経て浴槽下パン３８へ流入する。
【００３６】
浴槽下パン３８は、浴槽３０の下側に、排水受空間３８Ｒを構成している。排水受空間３８Ｒには、洗い場３２からの洗い場排水３７を貯留することができる。浴槽下パン３８の床面には開口３８Ｈが構成され、開口３８Ｈの下側に排水トラップ４０が配置されている。
【００３７】
排水トラップ４０は、目皿４２、仕切部材４４、貯留部４６、流出部４８、及び逆止弁５０を備えている。
【００３８】
目皿４２には、浴槽排水流入口４２Ａ、洗い場排水流入口４２Ｂが構成されている。浴槽排水流入口４２Ａには、前述のホース３６が連結され、浴槽３０から排水トラップ４０へ浴槽排水３４が直接流入する構成とされている。洗い場排水流入口４２Ｂは、浴槽下パン３８の排水受空間３８Ｒと排水トラップ４０とを連通させており、浴槽下パン３８から貯留部４６へ洗い場排水３７を流入させる。
【００３９】
貯留部４６は、有底円筒状とされており、開口された円筒上部に目皿４２が配置され、浴槽排水流入口４２Ａ及び洗い場排水流入口４２Ｂから排水が流入される。貯留部４６の側壁には、下流側へ排水を流出させるための流出部４８が構成されている。この流出部４８にサイフォン排水管２２が接続される。貯留部４６には、通常、流出部４８よりも下側に封水Ｆが貯留される。
【００４０】
目皿４２の下側には、仕切部材４４が設けられている。仕切部材４４は円筒状とされ、目皿４２の浴槽排水流入口４２Ａ及び洗い場排水流入口４２Ｂが円筒の内側に配置されると共に、円筒の下側先端辺が流出部４８の下側よりも更に下側に配置され封水Ｆ中に入るように構成されている。仕切部材４４及び封水Ｆによって、下流側の配管からの臭気が遮断される。
【００４１】
逆止弁５０は、浴槽排水流入口４２Ａを閉鎖する浴槽閉鎖板５０Ａ、及び、洗い場排水流入口４２Ｂを閉鎖する洗い場閉鎖板５０Ｂを備えている。浴槽閉鎖板５０Ａと洗い場閉鎖板５０Ｂとは、所定の角度をもって連結部５０Ｃで連結されており、連結部５０Ｃは浴槽排水流入口４２Ａと洗い場排水流入口４２Ｂとの間に配置されている。逆止弁５０は、連結部５０Ｃを中心に回動可能とされ、浴槽閉鎖板５０Ａが浴槽排水流入口４２Ａを閉鎖している時には洗い場閉鎖板５０Ｂは開放され、洗い場閉鎖板５０Ｂが洗い場排水流入口４２Ｂを閉鎖している時には浴槽閉鎖板５０Ａは開放される。
【００４２】
次に、本実施形態の浴室用排水構造１０での排水について説明する。
【００４３】
浴槽３０からの浴槽排水３４は、図２（Ａ）に示すように、浴槽排出口３０Ｂからホース３６を経て排水トラップ４０の貯留部４６へ流出する。浴槽排水３４は、通常溜め流しとなるため、排水トラップ４０の貯留部４６は満水となり、流出部４８からサイフォン排水管２２が満流状態となって、サイフォン力を発生させて排水が行われる。このとき、図２（Ｂ）に示すように、逆止弁５０の洗い場閉鎖板５０Ｂは、貯留部４６内の水圧により洗い場排水流入口４２Ｂの外側へ向かって押されて、洗い場排水流入口４２Ｂを閉鎖する。したがって、浴槽排水３４が洗い場３２に溢れることを防止することができる。
【００４４】
また、浴槽排水３４は、途中で大気開放されず、ホース３６を経て直接排水トラップ４０に送られる。したがって、浴槽３０内における水位をサイフォン排水の水頭として利用することができ、サイフォン排水の始動を早めることができる。
【００４５】
一方、洗い場３２からの洗い場排水３７は、図３（Ａ）に示すように、一旦、浴槽下パン３８へ流入する。浴槽３０からの排水が行われていない場合には、洗い場排水３７は、水圧で逆止弁５０の洗い場閉鎖板５０Ｂを押し開いて、洗い場排水流入口４２Ｂから排水トラップ４０の貯留部４６へ流入し、仕切部材４４の下側を経て流出部４８からサイフォン排水管２２へと流出する。
【００４６】
また、浴槽３０からの排水が行われている時には、図３（Ｂ）に示すように、洗い場排水流入口４２Ｂが閉鎖されているため、洗い場排水３７は、浴槽下パン３８上の排水受空間３８Ｒに溜められる。したがって、洗い場排水３７が洗い場に溢れることを防止することができる。
【００４７】
浴槽排水３４の排水が完了した後に、浴槽下パン３８に溜められた洗い場排水３７は、図４に示すように、洗い場排水流入口４２Ｂから貯留部４６へ流入する。サイフォン排水システムでは、サイフォン力により排水トラップの封水が流出して封水切れが生じやすいというという問題があるが、本実施形態によれば、サイフォン力により、封水Ｆが貯留部４６から流出して封水切れとなっている場合でも、洗い場排水３７により、排水トラップ４０を再封水することができる。
【００４８】
図５（Ａ）には、本実施形態の浴室用排水構造１０によって、浴槽３０及び洗い場３２から排水を行った場合（実線Ａ）、及び、在来排水により同様に排水を行った場合（点線Ｂ）の、時間経過と排水の処理量との関係を示すグラフが示されている。
【００４９】
在来排水では、サイフォン排水と比較して、排水管の径が大きいので、排水開始時から大量の排水処理を行うことができる。排水の処理量は、浴槽の水面高さに依存することから、時間経過と共に減少する。
【００５０】
一方、本実施形態では、サイフォン排水システムを用いており、排水管の径が小さいことから、排水開始時からサイフォンの始動時ＴＡまでは、処理量が少ない。サイフォンの始動時ＴＡからは、サイフォン力により処理量が急激に上昇する。このときの処理量Ｓ１は、在来排水での最大処理量Ｚ０よりも少なくてもてよい。これは、逆止弁５０により洗い場排水流入口４２Ｂが閉鎖されており、浴槽排水３４が洗い場排水流入口４２Ｂから溢れることがないためである。この処理量Ｓ１は、サイフォン力によるものであるため、在来排水のように浴槽３０内の水位とともに減少せず、一定の処理量を保つことができる。したがって、所定時間、処理量Ｓ１での排水を継続することにより、在来排水での処理量を上回る排水処理を行うことができる。
【００５１】
図２（Ｃ）に示すように、本実施形態の浴室用排水構造１０で、サイフォン力による処理量Ｓ１での排水処理が行われた後、浴槽３０の水位が下がると、浴槽３０に溜められた水の押し込み圧よりもサイフォンによる負圧が強くなり、洗い場閉鎖板５０Ｂにより閉鎖されている洗い場排水流入口４２Ｂから気泡Ｂが入り込み始める。これにより、気泡Ｂの混入した排水がサイフォン排水管２２を流れるようになり、処理量が低下してＳ２となる（ＴＢ時点）。そして、処理量Ｓ２での排水が所定時間行われた後、サイフォンが切れて排水が終了する。排水を完了するのに要する時間は、在来排水よりも短縮することができる。
【００５２】
また、本実施形態の浴室用排水構造１０では、排水後半の処理速度が、在来排水のように遅くならない。したがって、在来排水の場合には、排水を待つユーザーから排水後半の排水速度の遅さについて指摘されることがあったが、このようなユーザーの不満を解消することができる。
【００５３】
一方、逆止弁５０が設けられていない場合には、図５（Ｂ）に示すように、サイフォン力による処理量Ｓ３は、在来排水での最大処理量Ｚ０よりも多くなければ、洗い場排水流入口４２Ｂから大量の浴槽排水３４が溢れ、洗い場３２に排水が溜まることになる。そこで、サイフォン力による処理量Ｓ３＞Ｚ０にするために、サイフォン排水システムでの最大処理量を増やすための構成が必要となる。
【００５４】
所定時間の処理量Ｓ３での排水の後、ＴＣ時点で処理量が減少する。これは、逆止弁５０が設けられていないため、サイフォン排水開始の初期には、浴槽下パン３８に溜まった排水と浴槽３０からの浴槽排水の双方がサイフォン力により吸引されて下流側に送られるが、浴槽下パン３８上の排水が流出された後には、洗い場排水流入口４２Ｂから気泡Ｂが入り込み、サイフォン力が効率的に発揮されないためである。以後、気泡の混入により処理量は徐々に減少し、排水終了の直前には、サイフォン力の効きが断続的となって、排水が終了する。
【００５５】
このように、逆止弁５０を設けなかった場合には、サイフォン排水の最大処理量を通常よりも増加させたとしても、排水完了に要する時間を在来排水の場合よりも短縮することは難しい。
【００５６】
以上説明したように、本実施形態の浴室用排水構造１０によれば、サイフォン排水システムの最大処理量を増加させることなく、排水の完了に要する時間を短縮することができる。
【００５７】
また、浴槽排水３４を一時貯留するための貯留槽を設けたり、配管を浴槽側と洗い場側に各々設けたりすることなく、簡単な構成で洗い場３２への排水の溢れを防止することができる。
【００５８】
また、在来排水の場合と比較して、器具平均排水流量（ｑｄ値）を小さく設計することができるので、排水立て管１２への負荷を小さくすることができ、排水立て管１２や排水横主管の径を小さくできるなど配管についての自由度を上げることができる。
【００５９】
なお、配管を浴槽側と洗い場側に各々設けた場合（２本配管の場合）には、図５（Ｃ）に示すように、浴槽側の排水（実線Ｄ）と洗い場側の排水（実線Ｅ）とが別々に排水立て管１２へ排出されることになる。したがって、器具平均排水流量（ｑｄ値）を考慮した場合の排水立て管１２への負担は、本実施形態の場合と比較して、洗い場側の排水Ｅの分だけ大きくなる。言い換えれば、本実施形態によれば、２本配管の場合における浴槽側の排水Ｄの最大処理量に基づいて、排水立て管１２への負荷を計算すればよいことになる。
【００６０】
また、サイフォン排水システムを用いた場合には、サイフォン力による自浄作用で、サイフォン排水管内を清浄な状態に保つことができるというメリットがある。ところが、上記のように２本配管とした場合には、洗い場側についてサイフォン力が発揮されて排水が行われることは少ないので、自浄作用が発揮されず、汚れが付着しやすくなってしまう。本実施形態のように、洗い場排水と浴槽排水を１本の配管で排水することにより、サイフォン力による自浄作用を効果的に利用することができる。
【００６１】
また、本実施形態では、逆止弁として、浴槽排水流入口４２Ａを閉鎖可能な浴槽閉鎖板５０Ａを備えたものを用いたが、浴槽閉鎖板５０Ａは必ずしも必要ではなく、図６−１に示すように、洗い場排水流入口４２Ｂのみを閉鎖可能な片逆止弁５１を用いてもよい。
【００６２】
また、本実施形態では、洗い場排水流入口４２Ｂからの排水の逆流を防止するために逆止弁５０を用いたが、必ずしも逆止弁を用いる必要はなく、図６−２に示すような、フローティング部材を用いた逆止構造５３を用いることもできる。逆止構造５３は、水に対して浮力を有するフローティング部材５４によって、洗い場排水流入口４２Ｂを閉鎖するものである。フローティング部材５４にはホース３６が貫通され、フローティング部材５４は排水トラップ４０の目皿４２の下側に配置されている。ホース３６の周りには、フローティング部材５４の移動を上下方向にガイドすると共に、下側への移動を所定位置で規制するガイド部材５５が設けられている。
【００６３】
排水が行われていない時には、図６−２（Ａ）に示すように、フローティング部材５４はガイド部材５５のフランジ部上に配置されており、洗い場排水流入口４２Ｂは開放されている。浴槽排水の溜め流しなどにより貯留部４６の水位が上昇すると、フローティング部材５４も上昇する。そして、貯留部４６が満水になると、図６−２（Ｂ）に示すように、フローティング部材５４が上昇して、洗い場排水流入口４２Ｂがフローティング部材５４によって閉鎖される。
【００６４】
また、本実施形態では、浴槽排水３４と洗い場排水３７とが合流される部分が排水トラップ４０で構成されている例について説明したが、必ずしも排水トラップで構成されている必要はない。特に、排水トラップで構成されていることにより、洗い場側と浴槽側の排水トラップを共用とすることができる。
【００６５】
また、排水トラップについて、本実施形態では水封式のものを用いた例について説明したが、必ずしも水封式である必要はなく、他のタイプの排水トラップ、例えば、サイフォン排水に適したメンブレンタイプの排水トラップを用いてもよい。
【００６６】
また、本実施形態では、排水トラップを４０の流出部４８にサイフォン排水管２２を直接が接続した例について説明したが、必ずしも流出部４８に直接サイフォン排水管２２を接続する必要はない。流出部４８には、サイズ５０Ａなど大径の在来排水管を接続し、その下流側にサイズ２０Ａ、２５Ａなどのサイフォン排水管を接続してもよい。
【００６７】
また、本実施形態では、洗い場パン３３から浴槽下パン３８へ、段差３５という開放された部分を経て洗い場排水３７が流入する例について説明したが、洗い場パン３３から浴槽下パン３８への洗い場排水３７の流入は、必ずしも開放流路を経るものである必要ではない。例えば、図７に示すように、洗い場３２と浴槽下パン３８との間に仕切壁５２が形成されている場合には、洗い場パン３３及び仕切壁５２に浴槽下パン３８へ通じる流路５４を形成し、この流路５４により洗い場排水３７を浴槽下パン３８へ流入させてもよい。
【００６８】
また、本実施形態では、浴槽と洗い場とが分離した浴室に本発明を適用した例について説明したが、浴槽と洗い場とが一体構造となった浴室に本発明を適用してもよい。
【図面の簡単な説明】
【００６９】
【図１】本実施形態の浴室用排水構造の概略構成図である。
【図２】本実施形態の浴室用排水構造における浴槽側排水時の排水過程（Ａ）〜（Ｃ）を示す図である。
【図３】本実施形態の浴室用排水構造における洗い場側排水時の排水過程（Ａ）〜（Ｂ）を示す図である。
【図４】本実施形態の浴室用排水構造における排水終了後の再封水について説明する図である。
【図５】（Ａ）は本実施形態の浴室用排水構造と在来排水の時間と排水処理量との関係を示すグラフであり、（Ｂ）は、サイフォン排水システムに適用された他の浴槽排水構造と在来排水の時間と排水処理量との関係を示すグラフであり、（Ｃ）は２本配管とした浴室用排水構造と在来排水の時間と排水処理量との関係を示すグラフである。
【図６−１】本実施形態の浴室用排水構造における逆止弁の変形例を示す図である。
【図６−２】本実施形態の浴室用排水構造における逆止構造の変形例を示す図である。
【図７】本実施形態の浴室用排水構造における洗い場からの排水路の変形例を示す図である。
【図８】サイフォン排水システムの説明図である。
【図９】（Ａ）は在来排水における浴室用排水構造を示す図であり、（Ｂ）はこの浴室用排水構造をサイフォン排水システムに適用したものを示す図である。
【図１０】（Ａ）は在来排水における他の浴室用排水構造を示す図であり、（Ｂ）はこの浴室用排水構造をサイフォン排水システムに適用したものを示す図である。
【図１１】（Ａ）は在来排水における他の浴室用排水構造を示す図であり、（Ｂ）はこの浴室用排水構造をサイフォン排水システムに適用したものを示す図である。
【符号の説明】
【００７０】
１０  浴室用排水構造
１６  浴室
２２  サイフォン排水管
３０  浴槽
３２  洗い場
３４  浴槽排水
３６  ホース
３７  洗い場排水
３８Ｒ  排水受空間
３８  浴槽下パン
３９  防水パン
４０  排水トラップ
４２  目皿
４２Ａ  浴槽排水流入口
４２Ｂ  洗い場排水流入口
４４  仕切部材
４６  貯留部
４８  流出部
５０  逆止弁
５３  逆止構造
【図１】
2008179974.tif 000003
【図２】
2008179974.tif 000004
【図３】
2008179974.tif 000005
【図４】
2008179974.tif 000006
【図５】
2008179974.tif 000007
【図６−１】
2008179974.tif 000008
【図６−２】
2008179974.tif 000009
【図７】
2008179974.tif 000010
【図８】
2008179974.tif 000011
【図９】
2008179974.tif 000012
【図１０】
2008179974.tif 000013
【図１１】
2008179974.tif 000014